(57)【要約】【課題】  記録材に対する均一で良好な加熱処理を実現しつつ、フリッカーの低減化を図ることができる画像形成装置を提供する。【解決手段】  発光手段を有する画像読み取り部と、画像信号に応じて記録材上にトナー像を形成する画像形成部と、加熱処理する加熱定着装置を備えた画像形成装置において、加熱定着装置により記録材が加熱処理していない状態のときに、原稿読み取り部は原稿を読み取ることなしに発光手段を点灯させる。【選択図】  図１
2009042542.tif 000002
【特許請求の範囲】
【請求項１】
発光手段を有する原稿読み取り部と、
原稿読み取り部からの画像信号、あるいは外部からの入力される画像信号に対応して記録材上にトナー像を形成する画像形成部と、
互いに圧接回転する定着体及び加圧体と、定着体を加熱する加熱体を備え、
トナー像を担持する記録材を定着体と加熱体によって狭時搬送しながら記録材に加熱処理する加熱定着装置を備えた画像形成装置において、
加熱定着装置により記録材が加熱処理していない状態の時に、
原稿読み取り部は原稿を読み取ることなしに発光手段を点灯させることを特徴とする画像形成装置。
【請求項２】
発光手段を有する原稿読み取り部と、
原稿読み取り部からの画像信号、あるいは外部からの入力される画像信号に対応して記録材上にトナー像を形成する画像形成部と、
互いに圧接回転する定着体及び加圧体と、定着体を加熱する加熱体と、定着体又は加熱体の温度を検知する温度検知体を有し、温度検知体の検知温度に基づき予め定めた制御温度に維持するように電力を制御し、トナー像を担持する記録材を定着体と加熱体によって狭時搬送しながら記録材に加熱処理する加熱定着装置を備えた画像形成装置において、
加熱定着装置により記録材が加熱処理していない状態の時に、原稿読み取り部は原稿を読み取ることなしに発光手段を点灯させると共に、
加熱定着装置が記録材を加熱処理するときに加熱体に供給する電力と、加熱処理しないときに加熱体に供給する電力の差に応じて、発光手段に供給する電力を制御することを特徴とする画像形成装置。
【請求項３】
原稿読み取り部からの画像信号、あるいは外部からの入力される画像信号に対応して記録材上にトナー像を形成する画像形成部と、
互いに圧接回転する定着体及び加圧体と、定着体を加熱する加熱体と、定着体又は加熱体の温度を検知する温度検知体を有し、温度検知体の検知温度に基づき予め定めた制御温度に維持するように電力を制御する制御手段を有し、トナー像を担持する記録材を定着体と加熱体によって狭時搬送しながら記録材に加熱処理する加熱定着装置を備えた画像形成装置において、
加熱定着装置により記録材が加熱処理していない状態の時に、画像形成動作で使用しない装置を駆動することを特徴とする画像形成装置。
【発明の詳細な説明】
【技術分野】
【０００１】
本発明は、電子写真プロセスを利用した複写機やプリンタ等の画像形成装置に関する。
【背景技術】
【０００２】
図５に従来の画像形成装置の概略構成図を示す。
【０００３】
この装置は、加熱定着装置1を有する画像形成装置としてのプリンタ部２と、原稿画像を読み取る画像読み取り部としてのリーダー部３で構成される。
【０００４】
リーダー部３では、原稿台３１に置かれた原稿３２に対して、原稿照明ランプ３３で照明し、その原稿画像の情報をＣＣＤ３４により電気信号に変換し、画像信号を得る。
【０００５】
プリンタ部２は電子写真プロセスを利用した画像形成装置である。
【０００６】
２１は像担持体としての電子写真用感光体（以下、感光体と記す。）であり、矢印の方向に所定のプロセススピードで回転駆動される。
【０００７】
２２は帯電装置としての帯電ローラであり、回転する感光体２１の外周面を所定の極性、電位に均一に帯電する。
【０００８】
２３は露光装置としてのレーザースキャナーであり、画像信号に応じて変調したレーザー高Lを出力して、均一に帯電された感光ドラム２１上を走査し、露光する。この露光により回転する感光体２１の外周面に走査露光パターンに対応した静電潜像が形成される。
【０００９】
２４は現像装置であり、感光ドラム上の静電潜像に現像剤であるトナーを現像させる。
【００１０】
２５は転写手段としての転写ローラであり、感光ドラム２１と転写ローラ２５で形成されるニップ部である転写部に不図示の給紙部から所定のタイミングで搬送される記録材にあわせて、トナーと逆極性の電圧を転写ローラ２５に印加し、感光体２１上のトナー像を記録材上に転写させる。
【００１１】
１は加熱定着装置であり、トナー像が転写された記録材が定着体１１と加圧体１２で形成されるニップ部に導入される。そして記録材が定着ニップ部を狭持搬送される過程において記録材上のトナー像が加熱加圧されて永久固着画像として定着される。定着処理を受けた転写材は外部に排出される。
【００１２】
２６はクリーニング装置であり、転写後の感光ドラム上に付着した残留トナー（転写残トナー）を除去する。
【００１３】
従来、例えば、画像形成装置における記録材の加熱定着としては、所定の温度に維持された加熱ローラと、弾性層を有して該加熱ローラに圧接する加圧ローラを有し、該両ローラによって、記録材上のトナー像を狭持搬送し加熱する熱ローラ加熱方式が多用されている。
【００１４】
また、固定支持された加熱体であるヒータと、該ヒータに対向圧接しつつ、搬送される耐熱性のフィルムと、該フィルムを介して記録材をヒータに密着させる加圧部材を有し、ヒータの熱をフィルムを介して記録材へ付与することで記録材面に形成担持されている未定着画像を記録材面に加熱定着される方式構成のフィルム加熱定着装置が実用されている。
【００１５】
図5における１１はエンドレスの耐熱性のフィルムであり、内部に加熱体であるヒータを含むフィルムのガイドに外嵌させてある。このフィルム１１の内周長とヒータを含むフィルムガイドの外周長はフィルムの方を例えば3ｍｍ程度大きくしてあり、したがってフィルム１１は、フィルムガイドに対し周長が余裕を持ってルーズに外嵌している。フィルム１１は熱容量を小さくしてクイックスタート性を向上させるために、フィルム膜厚は１００μm以下の耐熱性のあるフィルムを使用する。１３は加熱体であるヒータであり、基板表面に電気抵抗材料を厚み約１０μm、幅１〜３ｍｍで塗工し、その上に保護層をコートしてある。１２は、ヒータ１３との間でフィルム１１を駆動回転させると共に、記録材をフィルムを介してヒータ１３へ加圧する加圧部材としての加圧ローラであり、芯金と耐熱ゴム層からなり、芯金の端部から不図示の手段により駆動回転させる。本装置における温度制御は、ヒータ１３上に配置された温度検知素子の出力をＡ／Ｄ変換し、制御装置に取り込み、その情報をもとにヒータ１３に通電する電力を制御している。
【００１６】
上記の例として、下記特許文献１及び特許文献２をあげることが出来る。
【特許文献１】特開2001-56626号公報
【特許文献２】特開平10-240065号公報
【発明の開示】
【発明が解決しようとする課題】
【００１７】
加熱装置において、記録材加熱工程と非記録材加熱工程とで、加熱体であるヒータの温度を所定温度に制御する構成の場合、記録材加熱工程においては、記録材に熱が奪われるためにヒータに電力を多く供給するように制御される。一方、非記録材加熱工程においては、熱を奪う記録材がないため記録材加熱工程に比べ、小さい電力で制御される。
【００１８】
従って、従来の画像形成装置においては、画像形成装置を連続プリントした場合、加熱処理工程と非加熱処理工程が交互に存在するため、ヒータに供給される電力に変動が存在し、それに応じてヒータに流れる電流変動が発生して、接続された電源供給システム自体のインピーダンスにより、電源電圧変動が発生する。この電源電圧変動は、同一電源供給網に接続されている他の電子機器にフリッカー＜照明装置等のちらつき（照度変動）＞を生じさせるという問題が発生させる場合があった。
【００１９】
また、従来の画像形成装置においては、記録材加熱工程と非記録材加熱工程の工程において、加熱体であるヒータ温度を所定温度に各工程で変化させる構成の場合には、即ち電流変動が大きいため、電源電圧変動も大きくなり、フリッカーも更に悪化してしまうという問題が発生する。
【００２０】
そこで、本発明は記録材に対する均一で良好な加熱処理を実現しつつ、フリッカーの低減化を図ることができる画像形成装置を提供することを目的とする。
【課題を解決するための手段】
【００２１】
上記課題を解決するために本出願に関わる第１の発明は、
発光手段を有する原稿読み取り部と、原稿読み取り部からの画像信号、あるいは外部からの入力される画像信号に対応して記録材上にトナー像を形成する画像形成部と、互いに圧接回転する定着体及び加圧体と、定着体を加熱する加熱体を備え、
トナー像を担持する記録材を定着体と加熱体によって狭時搬送しながら記録材に加熱処理する加熱定着装置を備えた画像形成装置において、加熱定着装置により記録材が加熱処理していない状態の時に、
原稿読み取り部は原稿を読み取ることなしに発光手段を点灯させることを特徴とする
本出願に関わる第２の発明は、
発光手段を有する原稿読み取り部と、原稿読み取り部からの画像信号、あるいは外部からの入力される画像信号に対応して記録材上にトナー像を形成する画像形成部と、
互いに圧接回転する定着体及び加圧体と、定着体を加熱する加熱体と、定着体又は加熱体の温度を検知する温度検知体を有し、温度検知体の検知温度に基づき所定の制御温度に維持するように電力を制御し、トナー像を担持する記録材を定着体と加熱体によって狭時搬送しながら記録材に加熱処理する加熱定着装置を備えた画像形成装置において、加熱定着装置により記録材が加熱処理していない状態の時に、原稿読み取り部は原稿を読み取ることなしに発光手段を点灯させると共に、加熱定着装置が記録材を加熱処理するときに加熱体に供給する電力と、加熱処理しないときに加熱体に供給する電力の差に応じて、発光手段に供給する電力を制御することを特徴とする。
【００２２】
本出願に関わる第3の発明は、
原稿読み取り部からの画像信号、あるいは外部からの入力される画像信号に対応して記録材上にトナー像を形成する画像形成部と、
互いに圧接回転する定着体及び加圧体と、定着体を加熱する加熱体と、定着体又は加熱体の温度を検知する温度検知体を有し、温度検知体の検知温度に基づき所定の制御温度に維持するように電力を制御する制御手段を有し、トナー像を担持する記録材を定着体と加熱体によって狭時搬送しながら記録材に加熱処理する加熱定着装置を備えた画像形成装置において、
加熱定着装置により記録材が加熱処理していない状態の時に、画像形成動作で使用しない装置を駆動することを特徴とする。
【発明の効果】
【００２３】
以上説明したように本発明によれば、本実施例では加熱定着装置で記録材を加熱する記録材加熱状態と、記録材を加熱しない非記録材加熱状態の各工程でリーダー部２とプリンタ部３を含めた画像形成装置全体の消費電力の急激な変動を抑制して、フリッカーを低減することができる。
【発明を実施するための最良の形態】
【００２４】
次に、本発明の詳細を実施例の記述に従って説明する。
【実施例１】
【００２５】
以下、本発明の実施例の一形態を説明する。
【００２６】
図５は本実施例における画像形成装置の概略構成を示す断面図である。この画像形成装置は、加熱定着装置1を有した画像形成部としてのプリンタ部２と、原稿画像読み取り部としてのリーダー部３を備え、また、プリンタ部２とリーダー部３の動作を制御する制御部４で構成される。
【００２７】
リーダー部３は、発光手段としての原稿照明ランプを有する発光装置部３３と、画像情報を電気信号に変換するＣＣＤセンサー３４と、不図示の発光装置部３３を走査するために走査駆動するセンサー駆動装置部からなり、画像形成装置の制御部４により制御される。
【００２８】
原稿台３１に置かれた原稿３２に対して、原稿照明ランプ３３で照明し、その画像情報をＣＣＤセンサー３４によって電気信号に変換し、その電圧信号をＡ/Ｄ変換することによりデジタル画像信号を得ている。
【００２９】
リーダー部３の読み取り動作は画像形成装置の複写機能を使用するときであり、例えば同一画像を複数枚複写する際は、リーダー部３での画像読み込みは１回だけ行い、そのときに読み込んだデジタル信号をメモリーに取り込んでおき、２枚目以降はこのメモリーの画像信号からプリンタ部２が画像形成を行うため、プリンタ部２の画像形成動作時はリーダー部３の読み取り動作を行わない。
【００３０】
また、画像形成装置の外部のコンピューター等からの画像信号をプリントする場合も、リーダー部３の読み取り動作を行わない。
【００３１】
プリンタ部２は、リーダー部３からの画像信号、もしくは画像形成装置の外部設けられたホストコンピューター等の出力装置からの信号に応じた画像を記録材上に記録する装置である。
【００３２】
像担持体としての感光ドラム２１は、その表面が有機感光体を主成分とする光導電層であって、不図示の駆動手段により、矢印Ａの時計方向に回転駆動される。
【００３３】
感光ドラム２１は、帯電手段である帯電ローラ２４によって所定電位に一様に帯電されたのち、画像信号に応じて露光装置からのレーザー光Lにより、その外周面上に静電潜像が形成される。
【００３４】
この静電潜像は、現像装置２４の現像剤としてのトナーを担持した現像スリーブによりトナー像として可視像化される。
【００３５】
ここで記録材は、転写手段である転写ローラ２５と感光ドラム２１とによって形成される転写ニップ部に導入され、電気的な作用により感光ドラム２１上のトナー像が記録材上に転写される。
【００３６】
転写工程を終えた感光ドラム２１上の転写残トナーは、クリーニングブレード２６により感光ドラム２１上から取り除かれてクリーニング装置２６に回収される。クリーニング工程を終えた感光ドラム２１は、再び画像形成プロセスを繰り返して、記録材上に画像形成が行なわれる。
【００３７】
一方、未定着トナーを担持した記録材は、加熱手段である加熱定着装置１に導入され、加圧及び加熱して、トナー像が記録材上に永久定着される。
【００３８】
図６は熱定着装置１の概略構成を示す断面図である。
【００３９】
本実施例における加熱定着装置1は、加熱体としてセラミックヒータを用いたフィルム加熱方式の加熱装置である。
【００４０】
図６において、１４は加熱材支持体としての耐熱性樹脂性である横長のヒーターステーであり、下記のエンドレスフィルム１2（以下フィルム）の内面のガイド部材となる。
【００４１】
１２は耐熱性のエンドレスフィルムであり、加熱体であるヒータ１３を含む上記ヒーターステー１４に外嵌させてある。このフィルム１２の内周長とヒータ１３を含むヒーターステー１４の外周長はフィルムの方を例えば３mm程大きくしてあり、従ってフィルム１２は、ヒータ１３を含むステー１４に対して周長が余裕をもってルーズに外嵌している。
【００４２】
加熱体であるヒータ１３は、アルミナ等でできた基板の略中央に沿って、例えばAg/Pd（銀パラジウム）等の電気抵抗材料（発熱体）を厚み１０μｍ、幅約１〜5mmにスクリーン印刷等により塗工し、その上に保護層としてガラスやフッ素樹脂等をコートしている。
【００４３】
加圧体としての１１はヒータ１３との間でフィルム１２を挟んで定着ニップ部Ｎを形成し、フィルム１２を駆動する回転体としての加圧ローラであり、アルミ、鉄等の加圧ローラ芯金１１aとこの軸に外装したシリコーンゴム等の離型性のよい耐熱性ゴムを用いた加圧ローラ弾性体部１１bとからなり、加圧ローラ芯金１１aの端部が不図示の駆動手段により駆動されることで矢印の方向に回転駆動される。加圧ローラ１１が回転駆動されることでフィルム１２も矢印の方向に回転駆動される。
【００４４】
フィルム１２は非駆動時においてはヒータ１３と加圧ローラ１１とのニップ部Ｎに挟まれている部分を除く残余の大部分は略全周長部分がテンションフリーである。
【００４５】
加圧ローラ１１が回転駆動されるとニップ部Ｎにおいてフィルム１２に加圧ローラ１１の回転周速と略同速度をもってフィルム裏面が加熱体１３の面を摺動しつつ時計方向に回転駆動される。
【００４６】
上記フィルム駆動とヒータ１３の発熱体への通電を行わせた状態において、未定着画像を担持した記録材がニップ部Ｎのフィルム１２と加圧ローラ１１との間に像担持体面上向きで導入されると、記録材はフィルム１２と一緒にニップ部Ｎを通過していき、該ニップ部Ｎにおいてフィルム裏面に接しているヒータ１３の熱エネルギーがフィルム１２を介して記録材に付与されてトナー像Ｔの熱定着がなされる。
【００４７】
次に、ヒータ１３への電力制御について説明する。
【００４８】
ヒータ１３の発熱体１３aはトライアックを介して、電源から電力供給を受けるようになっており、電源１５から発熱体１３aへの電力供給は制御装置４によって制御される。
【００４９】
ヒータ１３の温度情報はサーミスタ１５によるアナログ情報が、Ａ/Ｄ変換回路によりデジタル情報に変換されて、制御装置４に入力される。
【００５０】
制御装置４は、この入力されたヒータ１３の温度情報と目標温度（ヒータ制御温度）とを比較し、ヒータ１３が目標温度になるようにトライアックを介して温度制御を行う。
【００５１】
図1は本実施例１の画像形成装置において、外部のコンピューターからの画像信号を受け連続通紙した場合の加熱定着装置１におけるヒータ１３とリーダ部２の原稿ランプ３３の動作状態と、消費電力の関係を示すタイミングチャートである。
【００５２】
図1中の（ｉ）は加熱定着装置１の動作状態を示すものであり、加熱状態Ａは加熱定着装置１において記録材を加熱している状態、非加熱状態Ｂは加熱定着装置で記録材を加熱していない状態である。
【００５３】
（ii）は加熱定着装置１のヒータ１３で消費される電力を示す。
【００５４】
（iii）はリーダ部２の原稿ランプ３３の動作状態と消費電力を示す。
【００５５】
（iv）はリーダ部とプリンタ部を含む画像形成装置全体の消費電力を示す。
【００５６】
本実施例における加熱定着装置１のヒータ１３は、加熱定着装置１で記録材を加熱する加熱状態Ａにおいては、記録材に熱が奪われるため、ヒータに多くの電力が供給され、一方非加熱状態Ｂにおいては熱を奪う記録材がないため、加熱状態Ａに比べ小さい電力で制御される。
【００５７】
そのときの加熱定着装置１のヒータ１３で消費される電力は、加熱状態Ａで５００Ｗ、非加熱状態Ｂで３００Ｗとなる。
【００５８】
また、本実施例においては外部のコンピューターからの画像信号により画像形成を行うため、リーダ部２で画像を読み込む必要がないが、非加熱状態Ｂにおいて原稿ランプ３３を点灯させる。本実施例で用いられている原稿ランプ３３の消費電力は１５０Ｗであり、非通紙状態Ｂで消費される。
【００５９】
よって、図１（iv）に示すように連続通紙中のリーダー部２とプリンタ部３を含めた画像形成装置全体の変動は、加熱定着装置１のヒータ１３とリーダー部２の原稿ランプ３３で消費される電力が大きな部分を占めるため、図1（iv）で示すように消費される電力の変動は５０Ｗになる。
【００６０】
図４に比較例として従来の画像形成装置において、外部のコンピューターからの画像信号を受け連続通紙した場合の加熱定着装置１におけるヒータ１３とリーダ部２の原稿ランプ３３の動作状態と、消費電力の関係を示すタイミングチャートである。
【００６１】
従来例における加熱定着装置１のヒータ１３で消費される電力は、加熱状態Ａで５００Ｗ、非加熱状態Ｂで３００Ｗとなる。
【００６２】
従来例においては外部のコンピューターからの画像信号により画像形成を行うため、リーダー部で画像を読み込む必要がないため、加熱定着装置の状態に関わらず原稿ランプの点灯は行わない。よって、原稿ランプの消費電力は０Ｗである。
【００６３】
よって、図４（iv）に示すように連続通紙中の画像形成装置全体で消費される電力の変動は２００Ｗになる。
【００６４】
上述したように、従来の画像形成装置の制御においては、リーダー部２とプリンタ部を含めた画像形成装置全体の消費電力の変動は２００Ｗ程度だったのに対し、本実施例の画像形成装置の制御においては消費電力の変動は５０Ｗ程度に低減することができる。
【００６５】
よって、本実施例では加熱定着装置で記録材を加熱する記録材加熱状態と、記録材を加熱しない非記録材加熱状態の各工程でリーダー部２とプリンタ部３を含めた画像形成装置全体の消費電力の急激な変動を抑制して、フリッカーを低減することができる。
【００６６】
また、記録材の加熱状態と非記録材の加熱状態の電力の差が変動した場合においても、消費電力の変動を抑制し、フリッカーを低減することができる。
【実施例２】
【００６７】
次に、本発明における第二の実施形態について図２に基づき説明する。尚、上述の第一の実施形態と同一の構成に関しては、同一符号で示し、説明を省略する。
【００６８】
図２は本実施例２の画像形成装置において、外部のコンピューターからの画像信号を受け連続通紙した場合の加熱定着装置１におけるヒータ１３とリーダ部２の原稿ランプ３３の動作状態と、消費電力の関係を示すタイミングチャートである。
【００６９】
図２中の（ｉ）は加熱定着装置１の動作状態を示すものであり、加熱状態Ａは加熱定着装置１において記録材を加熱している状態、非加熱状態Ｂは加熱定着装置で記録材を加熱していない状態である。
【００７０】
（ii）は加熱定着装置１のヒータ１３で消費される電力を示す。
【００７１】
（iii）はリーダ部２の原稿ランプ３３の動作状態と消費電力を示す。
【００７２】
（iv）はリーダ部とプリンタ部を含む画像形成装置全体の消費電力を示す。
【００７３】
本実施例における加熱定着装置１のヒータ１３は、加熱定着装置１で記録材を加熱する加熱状態Ａにおいては、記録材に熱が奪われるため、ヒータに多くの電力が供給され、一方非加熱状態Ｂにおいては熱を奪う記録材がないため、加熱状態Ａに比べ小さい電力で制御される。
【００７４】
そのときの加熱定着装置１のヒータ１３で消費される電力は、加熱状態Ａで５００Ｗ、非加熱状態Ｂで３００Ｗ〜３５０Ｗとなる。
【００７５】
また、本実施例においては外部のコンピューターからの画像信号により画像形成を行うため、リーダ部２で画像を読み込む必要がないが、非加熱状態Ｂにおいて原稿ランプ３３を点灯させる。
【００７６】
本実施例で用いられている原稿ランプ３３の消費電力は２００Ｗであるが、加熱状態Ａと非加熱状態Ｂとの消費電力の差に応じて、原稿ランプ３３の投入電力を制御する。図中の非加熱状態Ａ―（１）においては２００Ｗ、非加熱状態Ａ―（２）、Ａ−（３）においては１５０Ｗの電力を投入する。
【００７７】
よって、図２（iv）に示すように連続通紙中のリーダー部２とプリンタ部３を含めた画像形成装置全体の変動は、加熱定着装置１のヒータ１３とリーダー部２の原稿ランプ３３で消費される電力が大きな部分を占めるため、図２（iv）で示すように消費される電力の変動はほぼ０Ｗになる。
【００７８】
比較例としての従来の画像形成装置の制御においては、外部のコンピューターからの画像信号により画像形成を行うため、リーダ部で画像を読み込む必要がないため、加熱定着装置の状態に関わらず原稿ランプの点灯は行わない。よって、原稿ランプの消費電力は０Ｗである。
【００７９】
よって、図４（iv）に示すように連続通紙中の画像形成装置全体で消費される電力の変動は２００Ｗになる。
【００８０】
上述したように、従来の画像形成装置の制御においては、リーダー部２とプリンタ部を含めた画像形成装置全体の消費電力の変動は２００Ｗ程度だったのに対し、本実施例の画像形成装置の制御においては消費電力の変動はほぼ０Ｗに低減することができる。
【００８１】
よって、本実施例では加熱定着装置で記録材を加熱する記録材加熱状態と、記録材を加熱しない非記録材加熱状態の各工程でリーダー部２とプリンタ部３を含めた画像形成装置全体の消費電力の急激な変動を抑制して、フリッカーを低減することができる。
【実施例３】
【００８２】
次に、本発明における第二の実施形態について図３に基づき説明する。尚、上述の第一の実施形態と同一の構成に関しては、同一符号で示し、説明を省略する。
【００８３】
図３は本実施例３の画像形成装置において、外部のコンピューターからの画像信号を受け連続通紙した場合の加熱定着装置１におけるヒータ１３とリーダ部２の原稿ランプ３３の動作状態と、消費電力の関係を示すタイミングチャートである。
【００８４】
図３中の（ｉ）は加熱定着装置１の動作状態を示すものであり、加熱状態Ａは加熱定着装置１において記録材を加熱している状態、非加熱状態Ｂは加熱定着装置で記録材を加熱していない状態である。
【００８５】
（ii）は加熱定着装置１のヒータ１３で消費される電力を示す。
【００８６】
（iii）はリーダ部２の原稿ランプ３３の動作状態と消費電力を示す。
【００８７】
（iv）はリーダ部２のファン３３の動作状態と消費電力を示す。
【００８８】
（iv）はリーダ部とプリンタ部を含む画像形成装置全体の消費電力を示す。
【００８９】
本実施例における加熱定着装置１のヒータ１３は、加熱定着装置１で記録材を加熱する加熱状態Ａにおいては、記録材に熱が奪われるため、ヒータに多くの電力が供給され、一方非加熱状態Ｂにおいては熱を奪う記録材がないため、加熱状態Ａに比べ小さい電力で制御される。
【００９０】
そのときの加熱定着装置１のヒータ１３で消費される電力は、加熱状態Ａで５００Ｗ、非加熱状態Ｂで３００Ｗとなる。
【００９１】
また、本実施例においては外部のコンピューターからの画像信号により画像形成を行うため、リーダ部２で画像を読み込む必要がないが、非加熱状態Ｂにおいて原稿ランプ３３を点灯させる。本実施例で用いられている原稿ランプ３３の消費電力は１５０Ｗであり、非通紙状態Ｂで消費される。
【００９２】
また、非加熱状態Ｂにおいてリーダー部のファン３５を駆動させる。本実施例で用いられているファン３５の消費電力は３０Ｗであり、非通紙状態Ｂで消費される。
【００９３】
よって、図３（iv）に示すように連続通紙中のリーダー部２とプリンタ部３を含めた画像形成装置全体の変動は、加熱定着装置１のヒータ１３とリーダー部２の原稿ランプ３３とファン３５で消費される電力が大きな部分を占めるため、図３（iv）で示すように消費される電力の変動は２０Ｗになる。
【００９４】
比較例としての従来の画像形成装置の制御においては、外部のコンピューターからの画像信号により画像形成を行うため、リーダ部で画像を読み込む必要がないため、加熱定着装置の状態に関わらず原稿ランプの点灯は行わない。よって、原稿ランプの消費電力は０Ｗである。
【００９５】
よって、図４（iv）に示すように連続通紙中の画像形成装置全体で消費される電力の変動は２００Ｗになる。
【００９６】
上述したように、従来の画像形成装置の制御においては、リーダー部２とプリンタ部を含めた画像形成装置全体の消費電力の変動は２００Ｗ程度だったのに対し、本実施例の画像形成装置の制御においては消費電力の変動は２０Ｗ程度に低減することができる。
【００９７】
よって、本実施例では加熱定着装置で記録材を加熱する記録材加熱状態と、記録材を加熱しない非記録材加熱状態の各工程でリーダー部２とプリンタ部３を含めた画像形成装置全体の消費電力の急激な変動を抑制して、フリッカーを低減することができる。
【００９８】
本実施例においては、非加熱状態において使用していないリーダー部の原稿ランプとファンを駆動することで効果を得ているが、本発明はそれらに限定するものではなく、他の使用していない装置において本発明の制御を行うことで同様の効果を得ることができる。
【図面の簡単な説明】
【００９９】
【図１】本発明の実施の形態１における装置の動作と消費電力を表わすタイミングチャート
【図２】本発明の実施の形態２における装置の動作と消費電力を表わすタイミングチャート
【図３】本発明の実施の形態３における装置の動作と消費電力を表わすタイミングチャート
【図４】従来例における装置の動作と消費電力を表わすタイミングチャート
【図５】本発明の実施の形態における画像形成装置の概略構成図
【図６】本発明の実施の形態における加熱定着装置の概略構成図
【符号の説明】
【０１００】
１  加熱定着装置
２  プリンタ部（画像形成部）
３  リーダー部（画像読み取り部）
４  制御装置
１３  加熱体（ヒータ）
３３  原稿ランプ（発光手段）
【図１】
2009042542.tif 000003
【図２】
2009042542.tif 000004
【図３】
2009042542.tif 000005
【図４】
2009042542.tif 000006
【図５】
2009042542.tif 000007
【図６】
2009042542.tif 000008